(57)【特許請求の範囲】
【請求項１】
防水パンと、壁パネルと、天井パネルとを備え、上記防水パンが、その周囲に壁付け面及び立上り壁とを有し、建築物躯体の基礎上に設置される住宅用バスユニットにおいて、気密テープの一端を上記壁付け面に取付け、他端を上記建築物躯体の壁面に貼付け、この貼付け作業の後に上記壁パネルにより気密テープを隠蔽した住宅用バスユニット。
【請求項２】
請求項１において、気密テープが、柔軟性を有する合成樹脂フィルムで構成され、合成樹脂フィルム裏面に接着剤もしくは粘着材が塗布されている住宅用バスユニット。
【発明の詳細な説明】
【０００１】
【発明の属する技術分野】
本発明は、一般住宅の浴室に使用される住宅用バスユニットに関する。
【０００２】
【従来の技術】
従来の一般住宅の浴室に使用される住宅用バスユニットの設置方法は、図３に示すように、通気口１を設けた建築物躯体の基礎２上に、上部に壁付け面３ａ及び立上り壁３ｂからなる水切り部３を形成した防水パン４又は洗場付き浴槽を載置固定し、ドア入口を除く壁付け面３ａ上に建築物躯体壁５との間に多少の間隙を存して壁パネル６を立設固定し、壁パネル６上に天井パネル７を載置固定するとともにドアパネル（図示せず）を固定して設置していた。そして、建築物躯体壁５とバスユニット底部、壁パネル６周囲及びバスユニット天井裏と隣室等の天井裏同士、更に、バスユニットの底部と隣室等の床下との間は、図３に示すように、常に通気口１より外の空気が流通するようになっている。
【０００３】
【発明が解決しようとする課題】
ところで、近時、住宅内部の熱エネルギーを有効に使用し快適な生活を過ごすために、建築物全体を高気密化し、熱エネルギーの放出を防止することが提案されている。
【０００４】
一方、バスユニットの底部は、基礎２に設けた複数の通気口１から常に空気の流通はあるものの、該通気口１は湿度を除去するためには必要であり、閉塞する訳にはいかない。そのため、居室等は断熱性の床や畳等で室内が外気と遮断されて気密性が保たれている。
【０００５】
しかしながら、外の空気が通気口１よりバスユニット底部に入り、バスユニット周囲と建築物躯体壁５との間隙を上昇し、さらに隣室等の天井へと流入するので、外気の温度とバスユニット室内及び居室内との温度差が大きい場合には、外気の流通によって室内の温度が奪われ低下するという課題がある。
【０００６】
本発明は、上記課題に鑑みてなされたものであり、バスユニット底部の湿気を除去することを可能とし、建築物躯体壁５と防水床又は洗場付き浴槽の上方の壁パネル６及び天井パネル７裏面との空気及び居室の天井裏面の空間に通気口１より外気が流通しないようにして気密性を高め、バスユニット室内及び居室内の温度の低下を防止できる住宅用バスユニットを提供することを目的としたものである。
【０００７】
【課題を解決するための手段】
上記目的を達成するために、請求項１記載の発明は、図１に示すように、防水パンと、壁パネルと、天井パネルとを備え、上記防水パンが、その周囲に壁付け面及び立上り壁とを有し、建築物躯体の基礎上に設置される住宅用バスユニットにおいて、気密テープの一端を上記壁付け面に取付け、他端を上記建築物躯体の壁面に貼付け、この貼付け作業の後に上記壁パネルにより気密テープを隠蔽した。
【０００８】
また、請求項２記載の発明は、気密テープ２０が柔軟性を有する合成樹脂フィルムで構成され、合成樹脂フィルム裏面に接着剤もしくは粘着剤が塗布されていることを特徴とする。
【０００９】
以上の構成から明らかなように、請求項１記載の発明によれば、建築物躯体の壁面部１９と防水パン１４又は洗場付き浴槽上部の壁パネル１５及び天井パネル１６裏面との間隙に通気口よりの外気が流通しないように気密性を高めることができる。
【００１０】
また、気密性を高めるために柔軟性を有する気密テープ２０を使用するため、地震等の振動による変形にも追従でき、常に住宅用バスユニット１０の防水パン１４、又は洗場付き浴槽上部裏面の気密性を高めることができる。
【００１１】
更に、請求項２記載の発明によれば、使用する気密テープ２０は裏面に接着剤又は粘着剤を塗布した柔軟性を有する合成樹脂フィルムを使用しているため、建築物躯体の壁面部１９の凹凸部を有した曲面部にも密着し、密閉作業が容易に行なえる。
【００１２】
【発明の実施の形態】
以下、本発明に係る住宅用バスユニットの一実施形態について、添付図面を参照しながら詳細に説明する。
【００１３】
図１は本発明に係る住宅用バスユニットの全体構成を示す断面図、図２は本発明に係る住宅用バスユニットの要部構成を示す一部拡大断面図である。
【００１４】
本発明に係る住宅用バスユニット１０は、上部周囲に壁付け面１１及び立上り壁１２からなる水切り部１３を設け、上面に浴槽を載置することができる防水パン１４と、防水パン１４の水切り部１３に立設される壁パネル１５と、壁パネル１５上に固定される天井パネル１６及びドアパネル（図示せず）から大略構成されている。
【００１５】
そして、この住宅用バスユニット１０を通気口１７を設けた建築物躯体の基礎１８上に設置するにあたり、図２に示すように、防水パン１４又は洗場付き浴槽の壁付け面１１及び立上り壁１２からなる水切り部１３と建築物躯体の壁面部１９との間に柔軟性を有する気密テープ２０で被覆したことを特徴とする。
【００１６】
更に詳しくは、防水パン１４は、床面の一方に浴槽の載置場、他方に洗場を設け、ＳＭＣ等の合成樹脂により形成されても良く、あるいは一方に浴槽、他方に擁壁（側壁）を有する洗場を設け、ＳＭＣ等の合成樹脂により一体に形成された洗場付き浴槽としても良い。
【００１７】
尚、図示する実施形態は防水パン１４を使用したものであり、この防水パン１４には、四周を立ち上げて側壁２１が形成され、側壁２１先端部に上述した壁付け面１１、立上り壁１２からなる水切り部１３を設けている。また、上記気密テープ２０は、柔軟性を有するポリエチレン等の合成樹脂製フィルムからなり、気密テープ２０の裏面には、現地の作業性を良好にするため、接着剤もしくは粘着剤が塗布されている。
【００１８】
次いで、住宅用バスユニット１０の取り付けについては、建築物躯体の床面に防水パン１４を載置固定し、防水パン１４の上部周囲に形成された壁付け面１１及び立上り壁１２からなる水切り部１３と建築物躯体の壁面部１９との間に気密テープ２０を貼着し空間を塞ぐ。尚、気密テープ２０の一端は水切り部１３の壁付け面１１又は立上り壁１２のいずれに取り付けても良い。
【００１９】
そして、壁付け面１１上に壁パネル１５を立設し、壁パネル１５上に天井パネル１６を載置固定するとともに、ドアパネル（図示略）を取り付ける。
【００２０】
上記気密テープ２０は、ポリエチレン樹脂フィルム表面に、発泡体に粘着剤を塗布したものを貼り合わせて形成したもので、幅１００ｍｍ、厚み２ｍｍであり、建築物躯体の壁面部１９には、気密防湿ボード２２が設置されている。
【００２１】
尚、この気密テープ２０の貼付け作業は、防水パン１４据付後に行ない、壁パネル１５の建て込み前に施行する必要がある。このように施工することにより、気密テープ２０を壁パネルにより隠蔽し、美観を損なうことがない。
【００２２】
このように、本発明に係る住宅用バスユニット１０は、気密性を高めるために気密テープ２０を使用し、この気密テープ２０は、柔軟性を有するものであるから、建築物躯体の壁面部１９の凹凸及び曲面部に容易に馴染み易く、防水パン１４の水切り部１３上部裏面の空間を容易に密閉することができる。また、地震等の振動による変形にも追従でき、バスユニット１０の防水パン１４又は浴槽上部裏面の気密性を失うことがなく、良好な気密性が保てる。
【００２３】
【発明の効果】
以上説明した通り、本発明は、上部周囲に壁付け面及び立上り壁からなる水切り部を設け、上面に浴槽を載置することができる防水パンと、防水パンの水切り部に立設される壁パネルと、壁パネル上に固定される天井パネル及びドアパネルから構成され、建築物躯体の基礎上に設置される住宅用バスユニットにおいて、前記防水パンの壁付け面及び立上り壁からなる水切り部と建築物躯体の壁面部との間を柔軟性を備えた気密テープで覆うという構成であるため、建築物躯体の壁部と防水パン又は浴槽上部の壁パネル及び天井パネルとの間隙に通気口より外気の流通を防止することができ、気密性を高めることができるとともに、バスユニット室内及び居室内の温度の低下を防止することができるという効果を有する。
【図面の簡単な説明】
【図１】本発明に係る住宅用バスユニットの全体構成を示す断面図。
【図２】図１に示す住宅用バスユニットの要部構成を示す部分拡大断面図。
【図３】従来の住宅用バスユニットを示す全体構成を示す断面図。
【符号の説明】
１  通気口
２  基礎
３  水切り部
３ａ  壁付け面
３ｂ  立上り壁
４  防水パン
５  建築物躯体
６  壁パネル
７  天井パネル
１０  住宅用バスユニット
１１  壁付け面
１２  立上り壁
１３  水切り部
１４  防水パン
１５  壁パネル
１６  天井パネル
１７  通気口
１８  建築物躯体の基礎
１９  建築物躯体の壁面部
２０  気密テープ
２１  側壁
２２  気密防湿ボード
【図１】
0003632815.tif 000002
【図２】
0003632815.tif 000003
【図３】
0003632815.tif 000004